(57)【特許請求の範囲】
【請求項１】
ハウジング内に内部部品として、少なくとも転写テープ、駆動部、繰出部、巻取部、転写部を含み、ハウジングの開閉機構を有する塗膜転写具であって、ハウジングが２部材からなり、一方のハウジングに内部部品を備え、他方のハウジングをふたとするものであり、繰出部及び巻取部の一方もしくは両方の回転軸を含む中心部を貫通する開閉部材と、ふたとする他方のハウジングに開閉部材を通すための開口部を設け、ハウジングの開閉機構は開閉部材の回転による方法であり、開閉部材は、ハウジングとは別の部材であり、開閉部材に爪を設け、ハウジングに爪に係合する溝を設け、一方のハウジングに回転可能に固定され、開口部に通す他方のハウジング面に突出する先端の形状を有することを特徴とする塗膜転写具。
【発明の詳細な説明】
【０００１】
【発明が属する技術分野】
本発明は、転写テープ上の塗膜を紙面等に転写するための塗膜転写具に関するものであり、詳しくはハウジングの開閉機構を有する塗膜転写具に関するものである。
【０００２】
【従来の技術】
従来塗膜転写具は、転写テープを紙面等に転写するためのものとして種々提案されている。一般的には、ハウジング内に内部部品として、転写テープ、駆動部、繰出部、巻取部、転写部を含んで構成される。ハウジングは、２部材からなり、一方のハウジングに内部部品を備え、他方のハウジングをふたとするものがある。転写テープは、薄葉紙やプラスチックフィルムの基材上に被覆層や粘着層を積層したものであり、いわゆる修正テープやマーキングテープ、粘着テープなどがある。転写テープはハウジング内で、繰出部から転写部を経由し、巻取部へとつながる経路をたどる。駆動部は、転写テープの繰出し、巻取りのために機能し、回転駆動して転写テープを繰出部から巻取部へ送出する。駆動手段としては、ギヤと滑りクラッチを使用するものや、プーリーとＯリングを使用するものなど、適宜選択することができる。駆動手段としてギヤと滑りクラッチを用いる場合、駆動部は、繰出部及び巻取部のギヤ部分を指す。さらに、両部を連結するためのギヤなどからなる連結部が付加されることもある。繰出部及び巻取部は一般的にはコア、もしくはコアと駆動手段が一体化したものから構成される。回転駆動のために繰出部と巻取部とは駆動部もしくは連結部を介して連結しており、繰出部には転写前の転写テープが巻回され、巻取部には転写後の転写テープ基材が巻回される。転写部は転写テープを紙面等被転写面に転写するためにハウジングから突出するよう設けられている。転写部の形状は転写テープを被転写面に転写可能なものであればよく、転写テープの種類により、先の尖った略三角柱やへら状の板体、ローラーなど適宜選択することができる。転写部には転写テープの走行を安定させるための、テープ案内板を設けることができる。
【０００３】
塗膜転写具は転写テープ等内部部品が交換可能なものと、内蔵の転写テープを使い切り再使用しないものとがある。交換可能なものは、ハウジング内の転写テープのみを交換するもの、転写テープと駆動部の一部または全部を交換するもの等、内部部品の組合せにより種々のものがある。交換方法は、内部部品それぞれをそのまま交換する方法、内部部品がホルダー板などに着脱可能に保持され、内部部品の装着後ホルダー板を取り除く方法、内部部品が固定されたカートリッジを交換する方法等がある。内部部品が交換可能な塗膜転写具はいずれも、内部部品の交換時に塗膜転写具のハウジングを開く必要がある。ハウジングを開閉可能とするために、塗膜転写具にはハウジングの開閉機構が設けられることが一般的である。特に、ハウジングが２部材からなるものの場合、内部部品やカートリッジが飛び出すことのないように、閉じた状態では確実に固定することのできる開閉機構が必要である。
【０００４】
【発明が解決しようとする課題】
ハウジングの開閉機構は、開閉のための部材を付加する必要があるが、開閉部材を付加する位置、その形状等に一定の制約があり、デザインや内部部品の配置、ハウジングの形状等が制限される。つまり、開閉機構のために、塗膜転写具上の一定のスペースを割かなければならない。本発明は、このような問題を解決するため、ハウジングを効果的に結合し、塗膜転写具の開閉操作の容易性、デザイン性を向上させることを目的とする。
【０００５】
【課題を解決するための手段】
本発明は、上記課題を解決するべく、ハウジング内に内部部品として、少なくとも転写テープ、駆動部、繰出部、巻取部、転写部を含み、ハウジングの開閉機構を有する塗膜転写具であって、ハウジングが２部材からなり、一方のハウジングに内部部品を備え、他方のハウジングをふたとするものであり、繰出部及び巻取部の一方もしくは両方の回転軸を含む中心部を貫通する開閉部材と、ふたとする他方のハウジングに開閉部材を通すための開口部を設け、ハウジングの開閉機構は開閉部材の回転による方法であり、開閉部材は、ハウジングとは別の部材であり、開閉部材に爪を設け、ハウジングに爪に係合する溝を設け、一方のハウジングに回転可能に固定され、開口部に通す他方のハウジング面に突出する先端の形状を有する塗膜転写具を提供するものである。
【０００６】
【発明の実施の形態】
本発明の実施例である塗膜転写具の正面図を図１に示した。図１の塗膜転写具は、巻取部４に開閉部材２を設けたものである。
【０００７】
ハウジングは、２部材からなり、一方のハウジングに内部部品を備え、他方のハウジングをふたとするものがよい。内蔵される転写テープは、薄葉紙やプラスチックフィルムの基材上に被覆層や粘着層を積層したもので被覆層及び粘着層を紙面等に転写する、いわゆる修正テープやマーキングテープ、粘着テープなど適宜選択することができる。細長いテープ状の転写テープは繰出部に巻回され、巻取部に転写後の転写テープ基材が巻回される。繰出部と巻取部は、塗膜転写具内で並べて配置されてもよく、重ねて配置されてもよい。駆動手段は、ギヤと滑りクラッチを使用するものや、プーリーとＯリングを使用するものなど、適宜選択することができる。転写部は転写テープを紙面等被転写面に転写するためにハウジングから突出するよう設けられている。転写部の形状は転写テープを被転写面に転写可能なものであればよく、転写テープの種類により、先の尖った略三角柱やへら状の板体、ローラーなど適宜選択することができる。転写部には転写テープの走行を安定させるための、テープ案内板を設けることができる。
【０００８】
ハウジングの開閉機構は、繰出部及び巻取部の一方もしくは両方の回転軸を含む中心部を貫通する開閉部材と、ハウジングに設けられた開口部とからなる。開閉機構は、開閉部材の回転による方法であればよい。
【０００９】
開閉機構を開閉部材の回転による方法とする場合、開閉部材は、一方のハウジングに回転可能に固定される。このため、開閉部材はハウジングとは別の部材として形成する必要がある。固定方法は、円柱状の開閉部材に爪を設け、ハウジングに爪に係合する溝を設ける方法など、適宜選択することができる。一方のハウジングに回転可能に固定された開閉部材が、繰出部及び巻取部の一方もしくは両方の回転軸を含む中心部を貫通し、さらに、開閉部材を通すための開口部を有する他方のハウジングを重ね、開口部に開閉部材を通す。開閉部材は、一方のハウジングに固定される側の先端の形状は、前述の固定方法に示したとおり、ハウジングに回転可能に固定される。回転軸を含む中心部を貫通し、他方のハウジング面に突出する側の先端の形状は、他方のハウジングに設ける開口部の形状との組合せにより、開閉部材がハウジングから抜け落ちることのない形状とする。すなわち、例えば、開閉部材の他方のハウジング面に突出する側の先端の形状と、他方のハウジングに設ける開口部の形状との両方を同一の四角形にすると、開閉部材を回転させることで、開口部を通過することが不可能となり、ハウジングが閉じた状態に固定される。同様に楕円形や棒状の形状など適宜選択することができる。他方のハウジング面に突出する側の先端は繰出部もしくは巻取部の回転軸を含む中心部内を貫通するため、貫通可能な形状である必要がある。
【００１０】
図１〜図４は本発明にかかる塗膜転写具であって、巻取部４に開閉部材２を設けたものを示す。ハウジング１は、２部材からなり、一方のハウジングに内部部品を備え、他方のハウジングをふたとする。内部部品は、一方のハウジング内に各々配置されている。開閉機構は、ハウジング１及び巻取部４の回転軸を含む中心部を貫通する開閉部材２と、ハウジングに設けられた開口部１１とからなる。開閉機構は、開閉部材２の回転による方法であり、巻取部４に形成されている。開閉部材２は、一方のハウジングに回転可能に固定されており、ハウジングとは別の部材としてハウジングに保持されている。ハウジングへの固定方法は、開閉部材２に爪２１を設け、ハウジングに爪２１に係合する溝１１ｂを設け、さらに巻取部支持体兼開閉部材支持体４２により回転可能に固定されている。開閉部材２の先端はハウジングの開口部１１と同形状で、円の直径方向の両端に切欠きが設けられている。巻取部４と繰出部３とが重ねて配置され両方の回転軸を含む中心部を貫通する開閉部材２が設けられている塗膜転写具は図７、８に示される。
【００１１】
【発明の効果】
本発明を、塗膜転写具に適用することで、塗膜転写具のハウジングを効果的に結合し、塗膜転写具の開閉操作の容易性、デザイン性を向上させることができる。塗膜転写具の開閉操作時に、開閉機構以外の結合箇所がないので、操作が容易であり、確実に開閉することができる。また、開閉部材は繰出部及び巻取部の一方もしくは両方の回転軸を含む中心部を貫通するので、塗膜転写具内に特に空間を必要とせず、塗膜転写具のデザインやコンパクト性を損なうことがない。
【図面の簡単な説明】
【図１】  本発明の実施例である巻取部に開閉部材を設けた塗膜転写具の正面図
【図２】  本発明の実施例である巻取部に開閉部材を設けた塗膜転写具の正面図のＡ−Ａ断面図
【図３】  本発明の実施例である巻取部に開閉部材を設けた塗膜転写具のハウジングの正面図
【図４】  本発明の実施例である巻取部に開閉部材を設けた塗膜転写具のハウジングの正面図のＡ−Ａ断面図
【図５】  本発明の実施例である繰出部に開閉部材を設けた塗膜転写具の正面図
【図６】  本発明の実施例である繰出部に開閉部材を設けた塗膜転写具の正面図のＡ−Ａ断面図
【図７】  本発明の実施例である重ね合わされた繰出部と巻取部とに開閉部材を設けた塗膜転写具の正面図
【図８】  本発明の実施例である重ね合わされた繰出部と巻取部とに開閉部材を設けた塗膜転写具の正面図のＡ−Ａ断面図
【符号の説明】
１    ハウジング
１１  開口部
２    開閉部材
２１  爪
３    繰出部
３１  繰出部コア
４    巻取部
４１  巻取部支持体
４２  巻取部支持体兼開閉部材支持体
５    転写部
６    駆動部
６１  駆動部支持体
６２  駆動部支持体兼開閉部材支持体
７    転写テープ
【図１】
0004318157.tif 000002
【図２】
0004318157.tif 000003
【図３】
0004318157.tif 000004
【図４】
0004318157.tif 000005
【図５】
0004318157.tif 000006
【図６】
0004318157.tif 000007
【図７】
0004318157.tif 000008
【図８】
0004318157.tif 000009